(57)【要約】【課題】  本物の富士壺に匹敵する疑似餌を提供する。【解決手段】  石鯛やチヌなどの魚を釣るための疑似餌であって、少なくとも、室温硬化型シリコーンゴム３と、富士壺の殻を潰した粉体４と、アミノ酸５と、富士壺の身を潰した練り状物６とを、所定量ずつ混ぜて混合物２とし、この混合物２を型１０によって富士壺の形状に形成する。また、室温硬化型シリコーンゴム３を１００重量部、富士壺の殻を潰した粉体を５〜２０重量部、その他のものを微量ずつ混合して混合物２を構成する。【選択図】      図１
2008029228.tif 000002
【特許請求の範囲】
【請求項１】
石鯛やチヌなどの魚を釣るための疑似餌であって、少なくとも，室温硬化型シリコーンゴム（３）と，富士壺の殻を潰した粉体（４）と，アミノ酸（５）と，富士壺の身を潰した練り状物（６）と，牡蠣の殻と身を潰した練状物（７）とを，所定量ずつ混ぜて混合物（２）とし，該混合物を型（１０）によって富士壺の形状に形成したことを特徴とする疑似餌。
【請求項２】
石鯛やチヌなどの魚を釣るための疑似餌であって、少なくとも，室温硬化型シリコーンゴム（３）と，富士壺の殻を潰した粉体（４）と，アミノ酸（５）と，富士壺の身を潰した練り状物（６）と，牡蠣の殻と身を潰した練状物（７）とを，所定量ずつ混ぜて混合物（２）とし，該混合物を型（１０）によって富士壺の形状に形成してなり、前記室温硬化型シリコーンゴムが１００重量部，富士壺の殻を潰した粉体が５〜２０重量部，その他をものが微量ずつ混合されたものであることを特徴とする疑似餌。
【発明の詳細な説明】
【技術分野】
【０００１】
本発明は、石鯛、チヌ、アイナメなどの魚を釣る際に使用する疑似餌に関するものである。
【背景技術】
【０００２】
石鯛、チヌ、アイナメなどの魚は、岩に固着している富士壺の殻を割ってその中の身を食べるほどで、富士壺を好んで食べる習性がある。こうしたことから、石鯛などの魚を釣る際の餌として、富士壺を用いることがある。
【発明の開示】
【発明が解決しようとする課題】
【０００３】
しかし、この富士壺は、一般に、海水に浸る岩に固着して生息しているため、捕獲するのが厄介であり、危険も伴う。また、活きたままの状態で使用する必要があるので、その取扱いが面倒である。
【０００４】
本発明はこうした点に鑑み創案されたもので、本物の富士壺に匹敵する疑似餌を提供することを課題とする。
【課題を解決するための手段】
【０００５】
図１乃至図３を参照して説明する。請求項１に記載の疑似餌１は、石鯛やチヌなどの魚を釣るためのものであって、少なくとも、室温硬化型シリコーンゴム３と、富士壺の殻を潰し摺った粉体４と、アミノ酸５と、富士壺の身を潰した練り状物６と、牡蠣の殻と身を潰した練状物７とを、所定量ずつ混ぜて混合物２とし、この混合物２を型１０によって富士壺の形状に形成したものである。
【０００６】
請求項２に記載の疑似餌１は、石鯛やチヌなどの魚を釣るためのものであって、少なくとも、室温硬化型シリコーンゴム３と、富士壺の殻を潰し摺った粉体４と、アミノ酸５と、富士壺の身を潰した練り状物６とを、所定量ずつ混ぜて混合物２とし、この混合物２を型１０によって富士壺の形状に形成してなり、前記室温硬化型シリコーンゴム３が１００重量部、富士壺の殻を潰した粉体４が５〜２０重量部、その他をものが微量ずつ混合されたものである。
【発明の効果】
【０００７】
請求項１に記載の発明に係る疑似餌１は、少なくとも、シリコーンゴム３、富士壺の殻を潰した粉体４、アミノ酸５、および富士壺の身を潰した練り状物６とで構成し、かつ、富士壺の形状に形成しているので、本物の富士壺と同様に、石鯛、チヌ、アイナメなどを釣る際の餌として好適である。
【０００８】
すなわち、富士壺の殻、富士壺の身、アミノ酸、および牡蠣の殻と身などの作用によって、本物の富士壺と変わらない香味を現出させることができるので、石鯛などの魚は、本物の富士壺と錯覚して食い付く。
【０００９】
なお、この疑似餌１は室温硬化型のシリコーンゴム３を使用しているので、型１０で富士壺形に形成された後、自然硬化し、その固化形状を永続的に保つことができる。従って、その取扱いがきわめて容易である。また、このシリコーンゴム３により適度の弾力を備えるので、釣り針から外れ難く、釣りの餌として優れている。
【００１０】
請求項２に記載の疑似餌１は、請求項１に記載の発明と同様に、石鯛やチヌなどの魚を釣る餌として好適である。また、その固化形状を永続的に保ち、釣り針から外れ難いので、釣りの餌として優れている。
【００１１】
さらに、室温硬化型シリコーンゴム３を１００重量部、富士壺の殻を潰した粉体４を５〜２０重量部、その他をものを微量ずつ混合しているので、本物の富士壺に、より近い香味を持つ疑似餌１とすることができる。
【発明を実施するための最良の形態】
【００１２】
本発明に係る疑似餌１の実施形態を、図１に示す。図１（ａ）に示すものは、下端部の径が約１５ｍｍ、上端部の径が約１０ｍｍ、高さが約１５ｍｍである。また、図２に示すように、上端面に実際の富士壺に似せて窪み部１ａを周設している。図１（ｂ）に示すものは、下端部の径が約１０ｍｍ、上端部の径が約８ｍｍ、高さが約１０ｍｍであり、同様に、上端面に窪み部１ａを形成している。なお、本発明に係る疑似餌１は、その大きさを限定するものではない。
【００１３】
この疑似餌１は、図３に示すように、ペレット状の室温硬化型シリコーンゴム３と、富士壺の殻を潰した粉体４と、アミノ酸５と、富士壺の身を潰した練り状物６と、牡蠣の殻と身を潰した練状物７とを、所定量ずつ混ぜて混合物２とし、当該混合物２を型１０によって富士壺の形状に形成したものである。本実施形態では、それらに加えて、所定添加物８を混合している。なお、型１０は、下型１１と上型１２で構成することができる。この際、上型１２に窪み部１ａを形成するための突起１２ａを周設すると良い。
【００１４】
この混合物２は、室温硬化型シリコーンゴム３を１００重量部、富士壺の殻を潰した粉体４を５〜２０重量部、その他のもの（アミノ酸５、富士壺の身を潰した練り状物６、牡蠣の殻と身を潰した練状物７、所定添加物８、その他カラス貝の身を潰したもの等）を微量ずつ混合したものである。
【００１５】
本実施形態に係る疑似餌１は、本物の富士壺と同様に、石鯛、チヌ、アイナメなどを釣る際の餌として好適である。すなわち、富士壺の殻、富士壺の身、アミノ酸、および牡蠣の殻と身などのはたらきによって、本物の富士壺と変わらない香味を現出させることができる。これにより、石鯛などの魚は、本物の富士壺と錯覚して食い付くため、釣りの餌として優れている。
【００１６】
なお、この疑似餌１は室温硬化型のシリコーンゴム３を混合しているので、型１０で富士壺形に形成された後、自然硬化し、その固化形状を永続的に保つことができる。従って、取扱いが容易であり、釣りの餌として優れている。また、このシリコーンゴム３により適度の弾力を備えるので、釣り針から外れ難く、よって釣りの餌として好適である。
【００１７】
また、本実施形態では、室温硬化型シリコーンゴム３を１００重量部、富士壺の殻を潰した粉体４を５〜２０重量部、その他をものを微量ずつ混合しているので、本物の富士壺に、より近い香味を持つ疑似餌１とすることができる。
【実施例】
【００１８】
本発明者らは、本発明に係る疑似餌１と本物の富士壺を使用して、鳥取県、島根県、山口県、広島県、岡山県、香川県、および愛媛県の各沿岸において、６ヶ月間にわたって約５０回にわたり、実際の魚釣りによる実験を行った。
【００１９】
その結果、本発明に係る疑似餌１を使用した場合と、本物の富士壺を使用した場合とで、ほぼ同数の釣果を得ることができた。なお、この疑似餌１で釣った魚は、石鯛、チヌ、アイナメ、カサゴである。
【図面の簡単な説明】
【００２０】
【図１】本発明に係る疑似餌の実施形態を示す斜視図である。
【図２】図１（ａ）のＸ−Ｘ線断面図である。
【図３】図１に示す疑似餌を成形する工程を示す説明図である。
【符号の説明】
【００２１】
１      疑似餌
１ａ    窪み部
２      混合物
３      シリコーンゴム
４      粉体
５      アミノ酸
６      練り状物
７      練状物
８      添加物
１０    型
１１    下型
１２    上型
１２ａ  突起
【図１】
2008029228.tif 000003
【図２】
2008029228.tif 000004
【図３】
2008029228.tif 000005